(57)【要約】【課題】使用する際に便利で、外観が新規性に富むタッチ式透明キーボードを提供すること。【解決手段】本発明のタッチ式透明キーボードは、タッチパレットと、前記タッチパレットの下方に設けられる透明基板と、前記タッチパレットに連接される制御モジュールと、を備える。前記透明基板には、複数のキーアイコンと、駆動回路と、金属膜と、が設けられる。前記キーアイコンは電界発光効果を有する透明材料からなり、前記駆動回路は前記制御モジュールからの制御信号を受けると、前記キーアイコンを発光させ、従って、前記キーアイコンは前記タッチパレットを透過して表示される。前記金属膜は、前記キーアイコンが発光しない場合に光を反射する役割を果たす。【選択図】図４
2011248874.tif 000002
【特許請求の範囲】
【請求項１】
タッチパレットと、前記タッチパレットの下方に設けられる透明基板と、前記タッチパレットに連接される制御モジュールと、を備えるタッチ式透明キーボードであって、
前記透明基板には、複数のキーアイコンと、駆動回路と、金属膜と、が設けられており、前記キーアイコンは電界発光効果を有する透明材料からなり、前記駆動回路は前記制御モジュールからの制御信号を受けると、前記キーアイコンを発光させ、従って、前記キーアイコンは前記タッチパレットを透過して表示され、
前記金属膜は、前記キーアイコンが発光しない場合に光を反射する役割を果たすことを特徴とするタッチ式透明キーボード。
【請求項２】
前記金属膜は、半透明な部材であり且つ前記透明基板の一面側に設けられ、前記キーアイコン及び前記駆動回路は、前記透明基板の前記金属膜に対向する他面側に設けられることを特徴とする請求項１に記載のタッチ式透明キーボード。
【請求項３】
前記制御モジュールは、インジウムガリウム酸化物によって形成された透明体であり、  前記制御モジュールの内部には、前記キーアイコンの座標範囲情報及び各前記キーアイコンに対応する指令情報が格納されていることを特徴とする請求項１に記載のタッチ式透明キーボード。
【請求項４】
前記タッチパレットは、光透過性の透明静電容量式タッチパレットであり、透明保護層、第一導電層、透明基体及び第二導電層が上から下に順次積層されてなり、前記透明保護層はシリカからなり、前記第一導電層及び前記第二導電層は、インジウム錫酸化物からなり、前記透明基体はガラス板であることを特徴とする請求項１に記載のタッチ式透明キーボード。
【発明の詳細な説明】
【技術分野】
【０００１】
本発明は、タッチ式キーボードに関し、特にタッチ式透明キーボードに関するものである。
【背景技術】
【０００２】
キーボードは、主な入力デバイスとして、電子装置にとって不可欠な外接部品である。従来のキーボードは、通常複数の独立したキー支持部及びキートップから構成される。ユーザーが前記キーボードを利用してコンピューターに情報を入力する場合、大きな力で前記キートップをクリックしなければならない。従って、ユーザーが長時間クリックすると、疲労を感じ易い。しかもこのタイプのキーボードは、機能が単一で、外観が低質であるため、消費者の電子装置に対する多様化したニーズを満たさない。
【発明の概要】
【発明が解決しようとする課題】
【０００３】
本発明は、上記の問題点を考慮してなされたものであり、使用する際に便利で、外観が新規性に富むタッチ式透明キーボードを提供することを目的とする。
【課題を解決するための手段】
【０００４】
前記課題を解決するために、本発明に係るタッチ式透明キーボードは、タッチパレットと、前記タッチパレットの下方に設けられる透明基板と、前記タッチパレットに連接される制御モジュールと、を備える。前記透明基板には、複数のキーアイコンと、駆動回路と、金属膜と、が設けられる。前記キーアイコンは電界発光効果を有する透明材料からなり、前記駆動回路は前記制御モジュールからの制御信号を受けると、前記キーアイコンを発光させる。従って、前記キーアイコンは前記タッチパレットを透過して表示される。前記金属膜は、前記キーアイコンが発光しない場合に光を反射する役割を果たす。
【発明の効果】
【０００５】
従来の技術に比べて本発明のタッチ式透明キーボードは、タッチパレット部材を採用するため、ユーザーはキートップをクリックすることなく情報を容易に入力することが可能であり、使用する際に便利である。しかも、前記タッチ式透明キーボードの透明基板において、一面側にはキーアイコンが設けられ、他面側には金属膜が設けられるので、通電する場合に、前記キーアイコンは発光して前記タッチパレット部材を透過して表示されるが、通電しない場合に、前記タッチ式透明キーボードはミラーとして使用することができるため、外観が新規性に富む。
【図面の簡単な説明】
【０００６】
【図１】本発明の実施形態に係るタッチ式透明キーボードの分解図である。
【図２】図１に示したタッチ式透明キーボードが通電する際の使用状態図である。
【図３】図１に示したタッチ式透明キーボードのタッチパレットの断面構造を示す図である。
【図４】図１に示したタッチ式透明キーボードの透明基板の背面図である。
【発明を実施するための形態】
【０００７】
図１に示したように、本発明の第一実施形態に係るタッチ式透明キーボード１００は、コンピューター或いはプリンターなどの電子装置の入力デバイスとして使用され、タッチパレット１０及び透明基板３０を備える。前記タッチパレット１０は、前記透明基板３０の上に設置される。
【０００８】
図３に示したように、前記タッチパレット１０は透光性を有し、且つ透明な静電容量式タッチパレットであって、透明保護層１２、第一導電層１４、透明基体１６、第二導電層１７、電源線１８及び制御モジュール１９を備える。前記透明保護層１２、第一導電層１４、透明基体１６及び第二導電層１７は、上から下に順次積層配置されている。本実施形態において、前記透明保護層１２は、シリカ或いはポリエチレンテレフタレート（ＰＥＴ）薄膜から制作されてなる。前記第一導電層１４は、位置を測定するための機能層であり、インジウム錫酸化物（ＩＴＯ)、アルミニウム酸化物添加亜鉛酸化物（ＺＡＯ)或いは酸化カドミウム（ＣｄＯ）などの透明導電材料からなる。前記透明基体１６は、ガラス或いは透明プラスチック板である。前記第二導電層１７も透明導電材料からなり、この第二導電層１７はマスキング層として、前記タッチパレット１０が静電気或いは電磁波に干渉されることを防ぎ、前記タッチパレット１０に理想的な動作環境を提供する。前記電源線１８は、前記タッチパレット１０の側辺に電気的に接続される。前記制御モジュール１９は、集積チップであって、前記電源線１８に固定され且つ軟性ケーブル（図示せず）を介して前記第一導電層１４、第二導電層１７及び前記電源線１８に電気的に接続される。ユーザーの指先などが前記タッチパレット１０の透明保護層１２に接触する瞬間に、前記タッチパレット１０の上面に静電容量が発生する。従って、前記制御モジュール１９は、電流の変化を検知して、接触位置の座標を判断すると共に対応する指令情報を発生させて、この指令情報をコンピューターなどの端末設備に伝送する。
【０００９】
図３に示したように、本実施形態において、前記透明基板３０は、ガラス或いは透明樹脂などの材料からなり、その全体が略弧状を呈して、中部が僅かに窪んでいる。前記透明基板３０は、表面３２及び底面３３を含む。前記タッチパレット１０の前記透明保護層１２と対向する一面は、前記表面３２に貼着される。
【００１０】
前記透明基板３０の表面３２には、半透明な金属膜３２２が設けられている。前記金属膜３２２は、チタン、ニッケル、銅及びクロムの中から選ばれた何れか１つをターゲットとして、物理気相蒸着法、スパッタリング法或いはイオンスプレー法によって前記透明基板３０の上に形成されてなり、前記タッチ式透明キーボード１００に鏡面効果を付与する。本実施形態において、耐摩耗性、耐酸性及び耐塩基性が優れるチタンを選択する。
【００１１】
前記透明基板３０の底面３３には、複数のキーアイコン３４、駆動回路３６及び透明な支持ブラケット３８が設けられている。本実施形態では、前記キーアイコン３４は、電界発光効果を有する透明材料が採用され、ペンキ吹き付け、或いは印刷によって形成される。前記キーアイコン３４の配列及び標示内容は、実際の需要に応じて英文アルファベット、漢字或いは平仮名などに変更することができる。前記キーアイコン３４の情報（例えば、「Ｋ」キーの座標範囲情報及び対応する指令情報）は、予め前記タッチパレット１０の制御モジュール１９内に格納され、且つ前記タッチパレット１０のタッチされる位置にそれぞれ対応している。前記駆動回路３６は、前記透明基板３０に透明導電材料をコーティングすることにより、前記キーアイコン３４の外周に設けられ、且つ電気回線を介して前記キーアイコン３４及び前記制御モジュール１９に電気的に接続される。前記駆動回路３６は、前記キーアイコン３４が発光するか否かを制御する。前記駆動回路３６が前記制御モジュール１９からの制御信号を受けて通電する場合、前記キーアイコン３４は発光するので、前記タッチパレット１０を透過して表示される。前記駆動回路３６に通電しない場合、前記キーアイコン３４は発光しない。前記支持ブラケット３８は、前記透明基板３０の底面３３の長手方向の片側に突設されて、逆三角形を呈する。前記支持ブラケット３８が存在するため、前記タッチ式透明キーボード１００が卓上に設置されると、前記タッチ式透明キーボードは略傾斜状態になる。
【００１２】
図４に示したように、前記タッチ式透明キーボード１００に通電しない場合には、前記キーアイコン３４は発光せず、前記タッチパレット１０の上面から前記キーアイコン３４は視認できない。この際、前記金属膜３２２は光を反射するため、前記タッチ式透明キーボード１００はミラーとして使用可能である。前記タッチ式透明キーボード１００に通電する場合、前記キーアイコン３４は発光し、且つ前記金属膜３２２及び前記タッチパレット１０を透過して表示される。ユーザーが前記タッチパレット１０をタッチすると、前記制御モジュール１９は、タッチされた位置を検知すると共に、タッチされた位置の座標情報を記録して、それを予め格納された前記キーアイコン３４の座標範囲情報と比較して、タッチされた位置に対応する指令情報を出力する。
【００１３】
また、前記金属膜３２２を前記透明基板３０の底面３３に設けてもよい。その代わりに、前記キーアイコン３４及び前記駆動回路３６を前記透明基板３０の表面３２に設ける。前記タッチ式透明キーボード１００が通電する場合、前記キーアイコン３４は発光するので、前記タッチパレット１０を透過して表示される。前記タッチ式透明キーボード１００が通電しない場合、前記タッチ式透明キーボード１００は鏡面効果を有する。なお、前記キーアイコン３４及び前記金属膜３２２を前記透明基板３０の同じ表面に設けることができる。
【００１４】
また、前記タッチ式透明キーボード１００が無線式のキーボードである場合には、前記制御モジュール１９を前記タッチパレット１０の側辺に独立して設けてもよい。或いは、インジウムガリウム（Ｉｎｄｉｕｍ  Ｇａｌｌｉｕｍ）酸化物によって透明な制御モジュール１９を形成して、前記タッチ式透明キーボード１００を完全に透明化してもよい。
【００１５】
また、前記制御モジュール１９によって前記駆動回路３６の通電状態をコントロールする方法は、以下の２種がある。第一の方法は、コンピューターなどの装置を起動する際、キーボードインターフェースポートの電源を直接伝送するものである。第二の方法は、前記タッチパレット１０のタッチ信号を検知した後に、前記駆動回路３６を通電させるものである。第二の方法では、前記タッチ式透明キーボード１００を使用しない場合に、それを待機状態にさせることによって、電気エネルギーを節約する。
【００１６】
また、本発明のタッチパレット１０は、抵抗膜式、表面音波式或いは光学式などのタッチパレットとすることが可能である。
【００１７】
本発明において、前記タッチ式透明キーボード１００は、タッチパレット部材を採用するため、ユーザーはキートップをクリックすることなく情報を容易に入力することが可能であり、使用する際に便利である。しかも、前記透明基板３０において、一面側にはキーアイコン３４が設けられ、他面側には金属膜３２２が設けられるため、通電する場合には、前記キーアイコン３４は発光して前記タッチパレット１０を透過して表示され、通電しない場合には、前記タッチ式透明キーボード１００はミラーとして使用することが可能であり、外観が新規性に富む。
【００１８】
以上、本発明の好適な実施形態について詳細に説明したが、本発明は前記実施形態に限定されるものではなく、本発明の範囲内で種々の変形又は修正が可能であり、該変形又は修正も又、本発明の特許請求の範囲内に含まれるものであることは、いうまでもない。
【符号の説明】
【００１９】
１０        タッチパレット
１２        透明保護層
１４        第一導電層
１６        透明基体
１７        第二導電層
１８        電源線
１９        制御モジュール
３０        透明基板
３２        表面
３３        底面
３４        キーアイコン
３６        駆動回路
３８        支持ブラケット
１００      タッチ式透明キーボード
３２２      金属膜
【図１】
2011248874.tif 000003
【図２】
2011248874.tif 000004
【図３】
2011248874.tif 000005
【図４】
2011248874.tif 000006